Podtech/llm-jp-corpus-v4-ja_patent huggingface dataset:
(57)【要約】      （修正有）【課題】交流発電機をもたない小型船舶のレーダー修理も能率的に良否の判定が出来、船舶レーダー修理の能率化が図れる。【解決手段】持ち運び出来る大きさのケースにマイクロ発生器、ＩＦアンプ、各電源を組込み充電式電池で駆動して小型軽量で一体化して、フロントエンドモジュールの試験が簡単に出来るようにした。【選択図】図３
0003129722.tif 000002
【実用新案登録請求の範囲】
【請求項１】
船舶用９ＧＨｚ帯レーダーに使用されているフロントエンドモジュールの現場での良否の試験に使用するためのフロントエンドテスターであり、持ち運び可能なケース内にマイクロ波発生器とＩＦアンプを内臓した、小型軽量で一体化し充電式電池方式にしたことを特徴としたフロントエンドモジュールテスター。
【考案の詳細な説明】
【考案の詳細な説明】
【技術分野】
【０００１】本考案は船舶の装備されている９ＧＨｚ帯航海用レーダーの現場での修理、整備に使用するものでレーダーの受信部（フロントエンドモジュール）の良否を単体で簡易に試験できるものであります。
【背景技術】
【０００２】従来船舶用レーダー修理は船舶に装備された状況でしか試験できず、受信部は空中線内部に組込まれておりレーダーを回転させての試験がむつかしかった。フロントエンドの故障判定にはモジュールを良品と交換して試験しなければならず各社の多種のモジュールを持たなければならず又試験で使用した部品の商品価値が低下し、また元に戻す等時間的、経済的に不便であった。
【考案の開示】
【考案が解決しようとする課題】
【０００３】従来現場でのフロントエンドモジュールの試験はマイクロ波信号発生器、マイクロ波電力計等高額な測定器を準備しなければならず、非常に困難であり本考案の機器により可能となった。
【課題を解決するための手段】
【０００４】持運び出来る大きさのケースにマイクロ発生器、ＩＦアンプ、各電源を組込み充電式電池で駆動して小型軽量で一体化して、フロントエンドモジュールの試験が簡単に出来るようにした。
【考案の効果】
【０００５】船舶に装備されたレーダーのフロントエンドモジュールは空中線部内に組み込まれており動作しての試験がむつかしかった。本考案のフロントエンドモジュールテスターを使用すればレーダー修理、整備の能率化が図れる。
【考案を実施するための最良の形態】
【０００６】小型収容ケースにスイッチ、表示器等を機能的に配置してあるので下記操作で簡単に試験できる。
▲１▼正面図にある周波数切替を希望する周波数にあわせる
▲２▼上面図の信号出力部に試験したいモジュールをおく
▲３▼後面図Ｊ１接続ケーブルをつなぎモジュールの端子に対応した線４本をつなぐ。
▲４▼感度を赤印におき電源スイッチを入れＴＵＮＥでＴＵＮＥメーターの最大に合わせる。
▲５▼ＴＵＮＥ電圧表示が規格内でＴＵＮＥメーター目盛が５以上の場合は正常
【図面の簡単な説明】
【図１】レーダーのブロックダイアグラムである。
【図２】９ＧＨｚフロントエンドモジュールテスター外観図である。
【図３】９ＧＨｚフロントエンドモジュールテスターブロックダイアグラムである。
【図１】
0003129722.tif 000003
【図２】
0003129722.tif 000004
【図３】
0003129722.tif 000005
【手続補正書】
【提出日】平成18年11月20日(2006.11.20)
【手続補正１】
【補正対象書類名】実用新案登録請求の範囲
【補正対象項目名】請求項１
【補正方法】変更
【補正の内容】
【請求項１】
船舶用９ＧＨｚ帯レーダーに使用されているフロントエンドモジュールの現場での良否の試験に使用できるように、小型可搬型にするため、レーダー波の擬似信号発生用のマイクロ波発生器及び中間周波数を増幅検波して出力を試験するためのＩＦアンプ部並びに本機を動作させるための電源部を電池駆動で小型軽量に一体化し、本機のみでフロントエンドモジュールを試験出来るようにしたことを特徴としたフロントエンドモジュールテスター。
(57)【要約】      （修正有）【課題】厚いカーテンを移動さすとき、そのカーテンフックの針金の窓側の端がレースカーテンにひっかかりにくく、またレースカーテンを破ることがない。【解決手段】厚手カーテンのフックの窓側の端にレースカーテンの布目にひっかからないような大きさと形状の着脱可能なキャップをつける。なぜ着脱可能にするかといえば、フックの細い２ｍｍ前後の針金しか通さないカーテンランナーの穴に大きいキャップは通さないからである。【選択図】図３
0003129727.tif 000002
【実用新案登録請求の範囲】
【請求項１】
（形状と大きさ）  レースカーテンの布目にひっかからないような大きさと形状で滑りやすいのものであること。
【請求項２】
（穴）  フックの２ｍｍ前後の針金に着脱できる穴をもち、その穴が容易に針金から抜けないこと。
【考案の詳細な説明】
【技術分野】
【０００１】通常カーテンは窓側に薄いレースカーテン、室内側に厚いカーテンをつける。厚いカーテンを移動さすとそのカーテンフックの針金の窓側の端がレースカーテンにひっかかりやすく、移動さすのに手間がかかる。又レースカーテンを破る場合がある。そこで厚いカーテンのフックの端にひっかからない型のキャップをつけて、厚いカーテンのフックがレースカーテンにひっかからないようにしたものである。
【背景技術】
【０００２】従来のカーテンフックは直径２ｍｍ前後の針金を加工してつくられている。そのフックの窓がわの端がレースカーテンにひっかからないようにすこし室内側に曲げられているものもある。
【考案の開示】
【考案が解決しょうとする課題】
【０００３】従来のカーテンフックはほとんどレースカーテンにひっかかりやすく、破れやすい。
【課題を解決するための手段】
【０００４】厚手のカーテンのフックの窓側の端にレースカーテンの布目にひっかからないような大きさと形状の着脱可能なキャップをつける。なぜ着脱可能にするかといえば、フックの細い針金しか通さないカーテンランナーの穴に大きいキャツプは通さないからである。
【考案の効果】
【０００５】今までひっかかりやすかった厚手カーテンの窓側の２ｍｍ前後のフックの端に［０００４］に書いてあるキャップをはめるとレースカーテンにこのフックの端がひっかからなくなる。それでレースカーテンが破れることを防ぐことが出来る。
【考案を実施するための最良の形態】
【０００６】なるべく小さくて、表面がすべりやすく、フックの針金に着脱しやすく、針金からよういに抜けにくいもの。
【図面の簡単な説明】
【図１】カーテンランナーの斜視図
【図２】カーテンフックの斜視図
【図３】キャップの斜視図
【図４】キャップをフックに装着した状態の斜視図
【図５】［図４］のフックをカーテンランナーに装着した状態の斜視図］
【符号の説明】
イ  カーテンの吊りひだに入る部分
ロ  カーテンランナーの穴に入って接する部分
ハ  フックの窓側の端（レースカーテンにひつかかりやすい部分）
ニ  カーテンレールに入るカーテンランナーの部分
ホ  フックの針金を通してカーテンを吊り下げる穴
ヘ  フックの窓側の端が入る穴
【図１】
0003129727.tif 000003
【図２】
0003129727.tif 000004
【図３】
0003129727.tif 000005
【図４】
0003129727.tif 000006
【図５】
0003129727.tif 000007
【手続補正書】
【提出日】平成18年11月28日(2006.11.28)
【手続補正１】
【補正対象書類名】実用新案登録請求の範囲
【補正対象項目名】全文
【補正方法】変更
【補正の内容】
【実用新案登録請求の範囲】
【請求項１】
カーテンフックの針金の窓側の先端に差し込む洋梨型で上の細い側の尖端に差込穴があるキャップでフックの上下の長さの約２分の１から約４分の１の縦の長さがありカーテンレ−ス布目の最大幅の約３倍から約４倍の横の長さがあるカーテンフックひっかかり止キャップ。
【請求項２】
差込穴にフックの針金が着脱出来る請求項１のカーテンフックひつかかり防止キャップ。
(57)【要約】      （修正有）【課題】インクジェットプリンタインクを透明プラスチックの中に封入する技術を応用し表札にする。【解決手段】インクジェットプリンタで印刷した写真のインクの粒子を透明紫外線カットアクリル板の中に封入し、色褪せの原因となる紫外線、大気中の湿気、オゾン、及び亜硫酸ガスなどの有害物質から完全に隔離する。【選択図】図１
0003129723.tif 000002
【実用新案登録請求の範囲】
【請求項１】
フルカラーで作る写真表札
【考案の詳細な説明】
【技術分野】
【０００１】  本考案は、写真で作る表札に関するものである。
【背景技術】
【０００２】  従来の表札は、表面処理をした固体の無機物、あるいは木質の表面に書き込むか、又は掘り込みを入るかして表札にするのが主であった。
【考案が解決しようとする課題】
【０００３】  したがって、従来の方法ではフルカラーの表札を製作することができなかった。
【課題を解決するための手段】
【０００４】  インクジェットプリンタのインクの粒子を、透明プラスチックの中に封入することによって屋外に長期間晒しても色褪せせず、風雨にも強い特許公開２００２−１４９１０１の技術を応用しフルカラーの写真入りの表札を容易に製作する手段である。
【実施例】
【０００５】  特許公開２００２−１４９１０１の技術を応用し表札にする（特許文献参照）。【０００６】
【特許文献】特開２００２−１４９１０１号公報
【考案の効果】
【０００７】  本考案は、フルカラーで印刷した写真を特許公開２００２−１４９１０１の技術を応用することによって、今までに無かった写真で表札を作ることが出来、しかも長期間屋外に晒して展示することが可能になった。
【図面の簡単な説明】
【図１】  本考案に係る右上部よりの鳥瞰図である。
【図２】  本考案に係る断面図である。
【符号の説明】
１・・・・・透明紫外線カットプラスチック
２・・・・・透明プラスチック版に封入された写真のインク
３・・・・・裏打ちプラスチック
【図１】
0003129723.tif 000003
【図２】
0003129723.tif 000004
【手続補正書】
【提出日】平成18年11月22日(2006.11.22)
【手続補正１】
【補正対象書類名】実用新案登録請求の範囲
【補正対象項目名】全文
【補正方法】変更
【補正の内容】
【実用新案登録請求の範囲】
【請求項１】
インクジェットプリンタで印刷した写真のインクの粒子を透明紫外線カットアクリル板の中に封入し、色褪せの原因となる紫外線、大気中の湿気、オゾン、及び亜硫酸ガスなどの有害物質から完全に隔離して作るカラー写真入り表札。
(57)【要約】      （修正有）【課題】ゴミ箱にゴミ袋をかぶせた場合、ゴミ袋を固定する汎用的な物がなかった。又、ゴミ袋の端がきれいでなかった。【解決手段】ゴミ袋２を固定するバンドにゴム状の物を使用する事で、ゴミ箱１の形状に関係なく固定する事が出来る。又、ゴミ袋の端をゴミ袋固定バンドの中にかくす事で外観をきれいに見せる。【選択図】図１
0003129699.tif 000002
【実用新案登録請求の範囲】
【請求項１】
ゴミ箱の形状にかかわらず、ゴミ入れにかぶせるゴミ袋を固定し、袋の端をコンパクトにかくすゴミ袋固定バンド。
【考案の詳細な説明】
【技術分野】
【０００１】本発明は、一般家庭で使用しているコミ箱にかぶせるコミ袋をコンパクトに固定するバンドの形状に関する。
【背景技術】
【０００２】従来、汎用性かあるゴミ袋を固定する道具が無かった。
【考案の開示】
【考案が解決しようとする課題】
【０００３】各類形状のゴミ箱にかぶせるコミ袋の端をキレイに処理する事、脱着が、簡単に出来る事を課題とする
【課題を解決するための手段】
【０００４】各類形状のゴミ箱に対応する為に材質にはゴム状の伸縮する物を使用する【０００５】脱着を簡単に出来る様にする為にゴム状のバンドにする事で、固定位置がずれない様にする。【０００６】ゴミ箱にかぶせたゴミ袋の端をゴム状のバンドではさみ、かくす事で外観をすっきりと見せる
【考案の効果】
【０００７】ゴミ袋の端を固定する事で、ゴミを捨てやすくする【０００８】ゴミ箱にかぶせたゴミ袋の端をすっきりと見せる。
【図面の簡単な説明】
【０００９】
【図１】本考案を実施した例を示す
【図２】本考案を実施した例の断面図
【符号の説明】
【００１０】１  ゴミ箱
２  ゴミ袋
３  ゴミ袋固定ベルト
【図１】
0003129699.tif 000003
【図２】
0003129699.tif 000004
【手続補正書】
【提出日】平成18年4月9日(2006.4.9)
【手続補正１】
【補正対象書類名】実用新案登録請求の範囲
【補正対象項目名】全文
【補正方法】変更
【補正の内容】
【実用新案登録請求の範囲】
【請求項１】
ゴミ箱の形状に関わらずゴミ箱の入り口にかぶせた袋を固定し、袋の端を見栄えよく隠す為のゴミ袋固定バンド。  このことを実現する為に材質にはゴムを使用し、袋の端を隠す為にベルト状の輪の形状を基本とする。  また、このベルト状の輪とゴミ箱との間にゴミ袋の端を入れて隠す機能も合わせて持たすためにベルト状の輪の内側を凹ませて収納出来るようにする。  内側の凹んだ部分にはゴミ袋の端を綺麗に収納させる為に凹んだ部分の端に折り返しを設けて入れたゴミ袋の端が外にあふれないようにする。
【手続補正書】
【提出日】平成18年8月5日(2006.8.5)
【手続補正１】
【補正対象書類名】実用新案登録請求の範囲
【補正対象項目名】全文
【補正方法】変更
【補正の内容】
【実用新案登録請求の範囲】
【請求項１】
ゴミ箱の形状に関わらずゴミ箱の入り口にかぶせた袋を固定し、ゴミ箱にかぶせた袋の端を見栄えよく隠すゴミ袋固定バンド。  このことを実現するために材質には伸縮するゴムを材料し、袋の端を隠すためにベルト状の輪の形状を基本とするが、このベルト状の輪とゴミ箱との間にゴミ袋の端を入れて隠す機能も合わせて持たせるために、ベルト状の輪の内側を凹ませてゴミ箱にかぶせた袋の端を隠す形状を持ったゴミ袋固定バンド。
【手続補正書】
【提出日】平成18年11月12日(2006.11.12)
【手続補正１】
【補正対象書類名】実用新案登録請求の範囲
【補正対象項目名】全文
【補正方法】変更
【補正の内容】
【実用新案登録請求の範囲】
【請求項１】
伸縮性を持つベルト状の輪の内側を凹ませてた形状にすることでゴミ箱の形状に関係なくゴミ箱のゴミ投入口にかぶせた袋を固定すると同時に、ゴミ箱のゴミ投入口にかぶせた袋の端を凹ませた中に収納して見栄えよくすることを特徴とするゴミ袋固定バンド。
(57)【要約】      （修正有）【課題】エアードリルでアルミ等の金属又は木材に穴をあけた場合、出てくる切粉がドリル本体に取り付けられたゴミ袋に収納される機能を搭載したエアードリルを提供する。【解決手段】エアードリルでアルミ等に穴をあけた場合中から出てくる切粉が飛び散らないように、使用する同じエアーを利用してドリルの錐に平行して取り付けてあるノズル７から切粉を吸い取り、ドリル本体のエアー排出口に取り付けたごみ袋９に収納し使用後切粉を処理出来る、切粉取り機能搭載エアードリルである。【選択図】図３
0003129619.tif 000002
【実用新案登録請求の範囲】
【請求項１】
エアードリルで物に穴を開ける場合、出てくる切粉（キリコ）と呼ばれる粉塵を錐の横に取り付けたノズルより吸い込みながら穴を開けて行く機能を持ったエアードリル。
【請求項２】
エアードリルで物に穴を開ける場合、出てくる切粉（キリコ）と呼ばれる粉塵をドリル本体のゴミ袋に収集する機能を持ったエアードリル。
【考案の詳細な説明】
【技術分野】
【０００１】
本考案はエアードリルで金属等に穴をあけるとき、出てくる切粉を吸い込みながら穴をあけ、吸い込んだ切粉をゴミ袋に収納する機能を持ったエアードリルである。
【背景技術】
【０００２】
車あるいは車両等、製造工場等で使用するドリルは殆ど圧縮空気いわゆるエアーを利用したエアードリルである、工場のあらゆるところに配管がしてあり電気ドリルと比較し点検整備に要する経費が掛らないのと手軽に使え安全だからである、ところが電気、エアーに係わらずドリルであけた場合穴の切粉が飛び散り後の掃除が大変である、金属の粉である場合は特に大変で、目の届かない細かな隙間にも入り込み、後でエアーを利用した掃除機（エアーガン）で吸い取るものの全部を始末するわけにはいかない、又天井等上を向いて作業をすると切粉が目に入ったり、細かい金属の粉である為に肺に吸い込んだりして健康にも良くない。
【考案の開示】
【考案が解決しようとする課題】
【０００３】
しかしながら、以上の考案によればエアードリルで穴をあけるとき切粉が飛び散ることも無く前述の欠点を解決しようとするものである。
【課題を解決するための手段】
【０００４】
本考案はエアードリルで穴をあける時、ドリルの錐と併用して取り付けたノズルの先端より、穴をあけるごとに生まれてくる切粉を吸い込みドリル本体の空気排出口に取り付けたゴミ袋（ダストバック）に切粉を収集し一括して破棄し問題を解決している。
【考案の効果】
【０００５】
上記のように本考案によるエアードリルを使用することでドリルの錐が穴を開けて行くことにより生まれてくる切粉を飛散さすこと無く吸い込んで行く為、後で掃除する手間も省け、目とか肺に入っていき健康を害するということも無く環境、衛生、職場の美化にもつながる。
【考案を実施するための最良の形態】
【０００６】
現在、職場ではエアーの配管より作業位置までホースをつなぎ、それにエアードリルとエアーで吸い込む掃除機（エアーガン）とを交互に着脱し作業を行っているが能率も悪く健康にも悪い、使用しているエアードリルとエアーガンは形、大きさもほぼ同じであり使用している圧縮空気（エアー）もエアードリルとエアーガンと機具を取り替えて使用するため同じものである、エアードリルは引き金になったトリガーを引くことでドリル内に圧縮空気が勢い良く流れ羽根を回しドリルの錐を回す構造となっている、尚回した後の空気は本体より外に排出している、又エアーガンはドリルと同様に引き金になったトリガーを引くことにより圧縮空気が流れ込み、本体の空気出口に切粉を収集する袋（ダストバック）を取り付けている、切粉のノズルからの吸い込みは圧縮空気が流れる途中のパイプを急激にカーブさせ空気が流れる後ろに穴（ノズルの取り付け位置）を開けているため、ここからは逆に空気が出るのではなく、吸い込むという現象が起こる吸引力を利用している、従ってこの二つを上手に合体させたのが最適である。
【実施例】
【０００７】
以下、添付図面に従って実施例を説明する。１は耐久性強化プラスチック等適宜素材にて一体化形成された本考案の切粉取り機能搭載エアードリル本体である、２は配管されたエアーと本体とを接続するエアーホース着脱口で３の引き金を引く事によりエアーが勢い良く流れ込み４の回転羽根を回すことにより先端に取り付けた５ドリルの錐も同軸の回転を起こしドリルの役目をなしております６は使用後のエアーを外に放出しております。以上がエアードリルとしての使用時の簡単な説明です。
【０００８】
切粉取りエアーガン併用の場合は７の吸い込みノズルを取り付けさらに８のダクトホースと９のダクトバックを装着し１０の切り替えスイッチを入れる事により３のトリガーを引くとエアーが１１の分岐器の双方に流れ込み１２に入ったエアーはドリルを回し１３に入ったエアーは１４で７の先端より勢いよく切粉を吸い込みながら８のダクトホースを経由して９のダクトバックに収まる。
【０００９】
本考案の実施例は上述の如き構造からなるものであるが図２と図３の構造図を重ねると部品が重なって納まらないように思える、しかしエアーガンの方は殆どパイプの配管である為ドリルの周囲でも空間を利用できるものと思われる。又７の吸い込みノズルは先端の構造も図のようなストロー状からラッバ状まで色々なタイプが考えられ、１５のノズル取り付け口の内部は簡易なバネにより錐が穴をあけていく同じ長さだけ伸縮する構造となっている。
【図面の簡単な説明】
【００１０】
【図１】この考案の実施形態を表す外観図である。
【図２】この考案のエアードリルの仕組みの切欠断面図である。
【図３】この考案のエアーガンの仕組みの切欠断面図である。
【符号の説明】
【００１１】
１  切粉取り機能搭載エアードリル本体
２  エアーホース接続口
３  トリガー
４  ドリル回転羽根
５  錐の刃 
６  ドリル回転使用後のエアーはけ口
７  切粉吸い取りノズル
８  ダクトホース
９  ダクトバック
１０エアーガン使用切り替えスイッチ
１１エアー分岐器
１２エアードリル側エアー挿入口
１３エアーガン側エアー挿入口
１４外部空気吸引口
１５伸縮ノズル取り付け口
【図１】
0003129619.tif 000003
【図２】
0003129619.tif 000004
【図３】
0003129619.tif 000005
(57)【要約】【課題】食べ物の鮮度と衛生を確保する紙箱を提供する。【解決手段】箱底は箱口に向かって箱壁を延伸し、頂壁から内に折れ、箱口で二層箱壁を形成して挟層効果を得る。下箱壁は二挟口を開設し、箱蓋は箱口の上箱壁に二連接壁を延伸し、且つ、連接壁と上箱壁に湾折設計を有し、箱蓋は上から下に、外から内に蓋合し、二連接壁を下箱壁外層の二挟口に挿入して、緊密な結合効果を達成し、紙箱は熱膨張、冷縮小の環境下で、緩む現象が生じにくく、係合時、各箱壁間の隙間を充分に覆蓋して、紙箱内部の食べ物と外界の接触を隔絶する。【選択図】図４
0003129650.tif 000002
【実用新案登録請求の範囲】
【請求項１】
紙箱の構造であって、前記紙箱の箱口の箱壁面に少なくとも二層箱壁を設置し、前記紙箱中、上下箱蓋を連接する連接壁は挟口に挿入され、前記二層箱壁の挟合作用により、前記連接壁挿入後緩まず、緊密な結合効果を達成することを特徴とする紙箱。
【請求項２】
前記連接壁、及び、対応する挟口は少なくとも一つ以上で、前記上下箱蓋を連接することを特徴とする請求項１に記載の紙箱。
【請求項３】
前記連接壁は直接前記紙箱壁面から延伸、湾折する設計で、前記紙箱壁面等に貼合し、特定の形式に限らないことを特徴とする請求項１に記載の紙箱。
【請求項４】
前記上下箱蓋の連接方式は上から下で、前記上箱蓋は前記下箱蓋を包覆して、食べ物がつくのを防止し、食べ物が汚染されないようにし、且つ、前記箱蓋と食べ物の接触で、開く時に汁やソースが手や服に付着するのを防止することを特徴とする請求項１に記載の紙箱。
【考案の詳細な説明】
【技術分野】
【０００１】
本考案は紙箱であって、特に冷熱食材を詰める紙箱の構造に関する。
【背景技術】
【０００２】
公知の紙箱１は、図１で示されるように、箱口の上箱壁１１１に挟口１１０を開設し、箱口の下箱壁１１２は壁頂に沿って連接壁１１３を延伸する。箱口の上箱壁１１１は内から外に下箱壁１１２と接合し、且つ、連接壁１１３は下から上に係合する。上箱壁１１１は公知の紙箱１内部で貼合が好ましくない状況が生じやすく、且つ、連接壁１１３は係合を強化する設計がなされていないので、貼合の不具合により隙間が生じ、連接壁１１３は緩みやすい。この他、貼合箇所の不具合による隙間により、公知の紙箱１は密閉空間にならず、且つ、上箱壁１１１は食べ物がつきやすく、蓋を開けると、手についたり、密閉でないため、外の物品が進入して食品を汚染する。
【０００３】
公知の紙箱２は、図２で示されるように、箱蓋は箱口に向かって連接挿口２１０を延伸し、且つ、箱口の下箱壁２１１は壁頂に沿って連接壁２１２を延伸し、箱口の連接挿口２１０は外から内に下箱壁２１１と接合し、且つ、連接壁２１２は下から上に係合する。連接壁２１２は単一層の厚さしかないので、使用上、断裂し緩みが生じやすく、更に、連接壁２１２と連接挿口２１０は係合が密合しておらず、外観は上下左右に突出し、箱壁間は互いに干渉しあう。多くのこのような紙箱は堆畳できず、不便であり、密合が必要な場合は、輪ゴムなど補助器材が必要なので、食材を詰める時、時間も費用もかかる。
【考案の開示】
【考案が解決しようとする課題】
【０００４】
本考案は、紙箱を提供し、該紙箱の内部の食べ物と外界の接触を隔絶し、食べ物の鮮度と衛生を確保することを目的とする。
【課題を解決するための手段】
【０００５】
本考案の紙箱は、箱口に二層箱壁を形成し、挟層効果を達成し、下箱壁に二挟口を開設し、箱蓋は箱口の上箱壁に向かって連接壁を延伸し、連接壁と上箱壁の辺縁は湾折設計になっており、箱蓋を上から下に、外から内に蓋合し、二連接壁を下箱壁外層の二挟口に挿入すれば、緊密な結合効果が達成され、紙箱は熱膨張、冷縮小の環境下で、緩む現象が生じにくく、係合時、各箱壁間の隙間を充分に覆蓋して、紙箱内部の食べ物と外界の接触を隔絶し、食べ物の鮮度と衛生を確保することを目的とする。
【考案の効果】
【０００６】
紙箱は熱膨張、冷縮小の環境下で、緩む現象が生じにくく、係合時、各箱壁間の隙間を充分に覆蓋して、紙箱内部の食べ物と外界の接触を隔絶し、食べ物の鮮度と衛生を確保する
【考案を実施するための最良の形態】
【０００７】
図３〜図５で示されるように、紙箱３は箱壁３４で頂辺に箱蓋３５を延伸し、上箱蓋３５は上箱壁３３を延伸し、上箱壁３３は辺縁に二湾折設計の連接壁３７を延伸し、連接壁３７と上箱壁３３間は状況に応じて切線を設け、挟口４０１の間の挟合に用いる。紙箱３は箱底３８周囲から上に向かって延伸し、対応する側箱壁３９を有し、且つ、側箱壁３９は強化壁４１と、両側辺に二畳壁３６を延伸する箱壁３４、箱壁４０を有する。箱壁４０は二挟口４０１を有し、箱壁４０は強化壁４２を延伸し、箱壁３４、箱壁４０両側は二畳壁３６を延伸し、内から外に対応する側箱壁３９に貼合される。箱壁４０の強化壁４２は内に折ったあと貼合し、箱口で二層箱壁５を形成して、挟層効果を得る。上箱蓋３５は上から下に、下箱壁は外から内に蓋合され、両連接壁３７を箱壁４０の両挟口４０１に挿入すれば、緊密な結合効果が達成される。
【０００８】
本考案の連接壁の湾折設計で、且つ、箱蓋が上から下に、外から内に蓋合されて、食べ物への汚染を防止し、箱蓋を開く時、手についたり、食べ物に接触するのを防止する。
【０００９】
本考案の長所は以下のようである。
１．   本考案の箱口の下箱壁と強化壁が二層箱壁を形成し、挟合効果を達成して、連接壁挿入後緩まない。
２．   本考案の紙箱は係合に便利、美観、堆畳が容易で、更に、紙製箱内部の食べ物と外界の物品の接触機会を隔絶し、食べ物の鮮度と安全性を確保する。
３．   本考案の結合蓋体は隔離され、開く時、食べ物の汁やソースがつかず、手や衣類の汚染を回避する。
【００１０】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１１】
【図１】公知の紙箱の立体図である。
【図２】公知の紙箱の立体図である。
【図３】本考案の立体組み合わせ図である。
【図４】本考案の状態実施図である。
【図５】本考案の別の角度からの状態図である。
【符号の説明】
【００１２】
１     
公知の紙箱
１１０  挟口
１１１  上箱壁
１１２  下箱壁
１１３  連接壁
２      公知の紙箱
２１０  連接挿口
２１１  下箱壁
２１２  連接壁
３     
紙箱
３３    上箱壁
３４    箱壁
３５    上箱壁
３６    畳壁
３７    連接壁
３８    箱底
３９    側箱壁
４０    箱壁
４１    強化壁
４０１  挟口
４２    強化壁
５      二層箱壁
【図１】
0003129650.tif 000003
【図２】
0003129650.tif 000004
【図３】
0003129650.tif 000005
【図４】
0003129650.tif 000006
【図５】
0003129650.tif 000007
(57)【要約】      （修正有）【課題】弁体のストッパ当接部分に取り付けるゴムが剥がれにくい弁を提供する。【解決手段】送水管路中に配設され、全開時に弁体が弁箱内に設けられたストッパに当接するスイング式の弁において、弁体のストッパに当たる部分に、根元部１０ａより両側に張り出した張り出し部１０ｂが形成された突起１０を設け、その突起１０にその張り出し部１０ｂを通って根元部１０ａに達するゴムカバー１１を取り付けた弁である。【選択図】図４
0003129601.tif 000002
【実用新案登録請求の範囲】
【請求項１】
送水管路中に配設される弁であって、全開時に弁体が弁箱内に設けられたストッパに当接するスイング式の弁において、
前記弁体の前記ストッパに当たる部分に、根元部より両側に張り出した張り出し部が形成された突起を設け、
該突起にその張り出し部を包んで前記根元部に達するようにゴムカバーを取り付けたことを特徴とする弁。
【請求項２】
請求項１に記載の弁において、前記ゴムカバーが接着によって弁体に取り付けられていることを特徴とする弁。
【請求項３】
請求項１に記載の弁において、前記弁体に樹脂のコーティングが施されている
ことを特徴とする弁。
【考案の詳細な説明】
【技術分野】
【０００１】
本考案は、送水管路中に配設される弁であって、全開時に弁体が弁箱内に設けられたストッパに当接するスイング式の弁に関する。
【背景技術】
【０００２】
上記形式の弁は、水に接ししている時間が長いため、錆が発生し易く、錆が発生すると水を汚してしまうという問題がある。この問題の防止策として弁体を樹脂、例えばナイロンをコーティングして錆の発生を抑えるようにした弁が知られている。
【０００３】
ところが、ナイロンコーティングした弁は全開時に弁体が弁箱に設けられたストッパに当たることによってそのナイロンコーティングが剥離してしまい、それによって弁体に錆が発生することがあった。
【０００４】
かかる不具合を解消するため、弁体のストッパ当接部分にゴムカバーを取り付けてナイロンコーティングを保護することが提案されている。このゴムカバーを取り付けた弁は、弁体がストッパに当たる衝撃音も緩和するので、ナイロンコーティングしていない弁にも有利なものとなっている。
【０００５】
しかしながら、弁体のストッパ当接部分に接着剤等によってゴムカバーを取り付けても、水流に叩かれて非常に剥がれ易いという問題があった。
【考案の開示】
【考案が解決しようとする課題】
【０００６】
本考案は、上記した従来の事情に鑑み、弁体のストッパ当接部分に取り付けるゴムカバーが剥がれにくい弁を提供することを目的としている。
【課題を解決するための手段】
【０００７】
上記の目的を達成するため、本考案は、送水管路中に配設される弁であって、全開時に弁体が弁箱内に設けられたストッパに当接するスイング式の弁において、前記弁体の前記ストッパに当たる部分に、根元部より両側に張り出した張り出し部が形成された突起を設け、該突起にその張り出し部を包んで前記根元部に達するようにゴムカバーを取り付けたことを特徴とする弁を提案する。
【０００８】
なお、本考案は、前記ゴムカバーが接着によって弁体に取り付けられていると、効果的である。
さらに、本考案は、前記弁体に前記弁体に樹脂のコーティングが施されている施されていると、効果的である。
【考案の効果】
【０００９】
本考案の構成によれば、突起に取り付けたゴムカバーが水流による剥がれにくくなり、これによって衝突音の抑えるとともに、樹脂がコーティングされている場合、そのコーティングを保護することができる。
【考案を実施するための最良の形態】
【００１０】
以下、本考案の実施の形態を添付図面に従って説明する。
図１は、本考案に係る弁としての前記飛散防止部材を示す断面説明図である。
図１において、符号１はチェッキ弁を示し、２はその弁箱、３は弁体をそれぞれ示し、弁箱２及び弁体３は例えば鋳物から作られている。弁体３は弁箱２に回動可能に装着された弁棒５に固定されており、これによって弁体３が実線で示す弁座４に着座する全閉位置から鎖線で示す弁体３が弁箱２に形成されたストッパ６に当接する全開位置との間をスイングされる。
【００１１】
弁体３には、弁座４に着座する面にゴム製のシートパッキン７が複数本のボルト８によって取り付けられ、弁体３の弁座着座時の衝撃音を緩和するとともに、弁体３と弁座４の密着性を高めている。また、弁体３の弁座４に着座する面と反対面には図２ないし図４に示すように、突起１０が設けられ、この突起１０が弁体３の全開時に上記ストッパ６に当接する。このとき、弁体３はかなりの衝撃力によってストッパ６に当たることがあるため、衝突音が発生する。さらに、弁体３を錆びにくくするためナイロン等の樹脂でコーティングをしている場合、突起１０のストッパ６への衝突でそのコーティングが剥離してしまうことがある。
【００１２】
このため、弁１はこの突起１０にゴムカバー１１が取り付けることで、衝突音を消音するとともに、ナイロンコーティングが剥離してしまうことを防止している。
【００１３】
本実施形態における突起１０は、図４に示すように、左右方向において根元部１０ａより側部に張り出した張り出し部１０ｂが設けられ、張り出し部１０ｂが設けられた突起１０の上部形状が台形形状に形成されている。そして、このような突起１０を設けることによって張り出し部１０ｂの下面と弁体３の上面がほぼ平行な溝が形成されている。
【００１４】
この突起１０にはゴムカバー１１が接着により取り付けられている。この場合、ゴムカバー１１は突起１０の全周を覆い、その一部を張り出し部１０ｂと弁体３面の間に形成された溝に食い込ませて取り付けている。
【００１５】
このように、ゴムカバー１１を突起１０の張り出し部１０ｂの下部の溝に食い込ませるようにして弁体３に設けていることにより、水流や水圧がゴムカバー１１を突起１０から剥がす方向に作用しにくくなる。したがって、ゴムカバー１１が長期にわたって剥がれることが防止され、全開時に突起１０が上記ストッパ６に当接しても衝突音が抑えられ、ナイロンコーティングの剥離も防止することができる。
【図面の簡単な説明】
【００１６】
【図１】本考案に係る弁の縦断面図である。
【図２】図１の弁の弁体を示す縦断面図である。
【図３】弁体の突起部分の断面図である。
【図４】図３のＡ−Ａ線に従う断面図である。
【符号の説明】
【００１７】
１  チェッキ弁
２  弁箱
３  弁体
４  弁座
５  弁棒
６  ストッパ
１０  突起
１１  ゴムカバー
【図１】
0003129601.tif 000003
【図２】
0003129601.tif 000004
【図３】
0003129601.tif 000005
【図４】
0003129601.tif 000006
(57)【要約】      （修正有）【課題】削り直しても舛目線の消えない構造とした囲碁、将棋盤。【解決手段】必要数の舛目幅材１と舛目幅材１の間に必要数の舛目線材２を接着し盤面を作り、つぎに盤面と同寸法の集成材３とを貼り合わせ、ねじれ、反り、を防止しその側面四方に縁取り幅化粧板４を貼り、研磨、塗装し、歪みのない囲碁、将棋盤とする。【選択図】図１
0003129608.tif 000002
【実用新案登録請求の範囲】
【請求項１】
盤面の舛目線を塗料で書いたり、象眼するのではなく舛目線幅の単板を使用した構造とし、削り直しのきく囲碁、将棋盤。
【考案の詳細な説明】
【技術分野】
【０００１】
本考案は木材と木材の組合せ接着技術に関するものである。
【背景技術】
【０００２】
従来は大口径の木材で碁盤を作り盤面に象眼（プラスチック。金属の埋め込み）、漆、又はその他の塗料で舛目線を書き込んである。
【考案の開示】
【考案が解決しようとする課題】
【０００３】
盤は経年変化により、ねじれ、反り、しみ、線の剥がれ、薄れ、が生じる。その場合は盤面を削り直す必要がある。
【０００４】
従来は盤面を削り直すと舛目線が消え線を引き直す必要があり、象眼の場合は削り直しが非常に難しく費用も高額となる。
【課題を解決するための手段】
【０００５】
盤面の舛目線を象眼又は塗料で書くのではなく単板（舛目線となる薄い木）を接着する構造とした。
【考案の効果】
【０００６】
盤面の舛目線は単板の使用により盤面の削り直しが容易にでき、永年にわたり美しさが保たれ、削り直しの費用は安価である。
【考案を実施するための最良の形態】
【０００７】
盤面の削り直しが容易なため、テーブル、机、等との組合せが出来る。又、必要な長さの舛目幅の材で制作出来るので小口径の木材、又は端材が利用できるので材料費が大幅に安価になる。
【実施例】
【０００８】
必要数の舛目幅材１と舛目幅材１の間に必要数の舛目線材２を接着し盤面を作り、つぎに盤面と同寸法の集成材３とを貼り合わせ、ねじれ、反り、を防止しその側面四方に縁取り幅化粧板４を貼り、研磨、塗装し、歪みのない囲碁、将棋盤とする。
【図面の簡単な説明】
【０００９】
【図１】斜視断面図
【図２】上面図
【符号の説明】
【００１０】
１  舛目幅材
２  舛目線材
３  集成材
４  縁取り幅化粧板
【図２】
0003129608.tif 000003
【図１】
0003129608.tif 000004
(57)【要約】      （修正有）【課題】甘えび等を並列，重ね合わせて接着してなる単位寿司種を提供する。【解決手段】にぎり寿司の具材として甘えび数尾をタンパク質同士に架橋反応させるトランスグルタミナーゼなどの酵素性食用接着剤２を用いて並列または重ね合わせ接着して単位寿司種を構成するようにしたことを特徴とする甘えびの接着寿司種３。接着寿司種３は甘えびのほかその他の食用魚介類を酵素性食用接着剤２にて接着して構成することもできる。【選択図】図１
0003129623.tif 000002
【実用新案登録請求の範囲】
【請求項１】
にぎり寿司の具材として甘えび数尾をタンパク質同士に架橋反応させるトランスグルタミナーゼなどの酵素性食用接着剤を用いて並列または重ね合わせ接着して単位寿司種を構成するようにしたことを特徴とする甘えびの接着寿司種。
【請求項２】
接着寿司種は甘えびのほかその他の食用魚介類の接着にて構成する請求項１に記載の接着寿司種。
【考案の詳細な説明】
【技術分野】
【０００１】
本考案は甘えびの接着寿司種、詳しくはむき身にした生甘えびの数尾を豪華に重ね接着してなる甘えびの接着寿司種に関するものである。
【背景技術】
【０００２】
従来、甘えびを寿司種とするにぎり寿司は、米飯のにぎりの上に生甘えびを載せ付けて提供している。しかしながら、甘えびは１尾ならばともかく２尾，３尾として重ね載せてにぎり寿司とするときは甘えびがばらばらになって１尾，２尾が脱落するという課題があった。
【０００３】
公開されている特開２００２−２０４６６３号の考案は、米飯のにぎりに並べ載せる小形の魚や魚卵等の寿司種をコンニャクなどの透明な食用シートで覆ってバラけることを防止するようにしたことを記載している。
【特許文献１】特開２００２−２０４６６３号公報
【考案の開示】
【考案が解決しようとする課題】
【０００４】
しかしながら、コンニャクによるシートは透明にするとしても寿司種に異様感が生じ、しかもコンニャクの食感が加わることで、にぎり寿司の品質を低下させるという課題がある。
【課題を解決するための手段】
【０００５】
本考案は、生甘えびのむき身数尾を相互の間のタンパク質の架橋により接着して脱落の生じない単位寿司種を構成するようにして、かかる課題を解決しようとするものである。
【考案の効果】
【０００６】
本考案は、タンパク質同士を架橋接着し、接着反応後はタンパク質に同化して残らなくなる酵素性食用接着剤を用いて数尾の甘えびを接着して単位寿司種とするので、甘えびの脱落が生じないほか、外観，食感を良好にするという効果を生ずる。
【０００７】
接着寿司種は甘えびのほか、食用の他の魚介に適用することでにぎり寿司の食文化をさらに向上させる効果を生ずる。
【考案を実施するための最良の形態】
【０００８】
本考案は、生甘えびのむき身を数尾づつタンパク質同士を架橋反応させる酵素性食用接着剤を用いて並列または重ね合わせた状態にて接着して単位寿司種にして提供するのである。トランスグルタミナーゼなどの酵素性食用接着剤は触媒としてタンパク質同士の架橋反応が生ずると該タンパク質に同化することで塗布した接着剤層がなくなって、通常の寿司種と変わらないものとなる。酵素性食用接着剤による接着は冷凍および解凍にも適するので接着寿司種は冷凍して保存し解凍して米飯のにぎりの上に載せてにぎり寿司とすることもある。
【実施例１】
【０００９】
生甘えびは尾を残して、頭部と殻および足をとりのぞいてむき身の甘えび１とし、この甘えび１を２尾横並べして、さらに１尾の甘えび１の腹側にトランスグルタミナーゼなどの酵素性食用接着剤２を塗布して２尾の甘えび１の上に跨ぎ載せて接着２ａして、単位寿司種３とするのである。
【００１０】
酵素性食用接着剤２は、甘えび１の成分中のタンパク質同士に架橋反応を触媒して甘えび１同士を接着し、架橋反応後は接着剤として残ることがないので食する際に何等の違和感も全く生じないこととなる。
【００１１】
寿司店などは、この単位寿司種３を米飯のにぎり４の上に載せてにぎり寿司５にして客に提供することができる。単位寿司種３は数尾にて構成しているにかかわらず、接着によって分裂することがないから、豪華に見えてしかも取扱いやすいものとなる。客も食する際に甘えびがバラバラになることがないので食べやすいものとなる。本考案の甘えびの単位寿司種３は家庭で供するにぎり寿司にも便利に使用することができる。
【実施例２】
【００１２】
図３（ａ）（ｂ）は下段２列の甘えび１の尾を取り、上段の尾付の甘えび１を少しうしろにずらして跨ぎ載せて接着した単位寿司種の例を示すもので、かくすることで単位寿司種３を大きな一匹のえびのように豪華にすることができる。また図３（ｃ）は甘えび１を下３列、上２列に重ね合わせて大きな単位寿司種３とした例で、米飯のにぎり４の上に５尾の甘えびが載った豪華な単位寿司種３のにぎり寿司５を提供することができることとなる。いずれも接着によって形がくずれたり脱落したりすることがないので、扱いやすく食べやすいものとなる。
【実施例３】
【００１３】
図４は例えばマグロの赤身６ａと中トロ６ｂと大トロ６ｃの３種のそれぞれ細分した具材を酵素性食用接着剤２を用いて並列接着２ａして単位寿司種３ａとした例を示すものである。かくて一度に３種のマグロの味を味わえる新規の接着寿司種３ａを提供することができることとなる。
【実施例４】
【００１４】
このほか、酵素性食用接着剤にて接着することで、小貝、小イカなど小型の素材も、いくつかを並列また重ね合わせて接着して単位寿司種３とすることもできる。かくすることで、従来なかった食材による新規の接着寿司種を提供することもできることになる。
【産業上の利用可能性】
【００１５】
本考案は、生甘えび、その他の食用魚介の数尾，数個を接着して単位寿司種とすることで寿司業界において広く利用することができるものとなる。
【図面の簡単な説明】
【００１６】
【図１】（ａ）は酵素性食用接着剤により甘えびを３尾重ね合わせた接着寿司種例を示す斜視図、（ｂ）は同、２尾横並べ接着した単位寿司種の斜視図
【図２】甘えびの単位寿司種にてにぎり寿司を構成した例の正面図
【図３】（ａ）は上段の甘えびをずらし載せ接着する前の斜視図、（ｂ）は同、接着した単位寿司種の平面図、（ｃ）は下３列、上２列の単位寿司種のにぎり寿司の斜視図
【図４】赤身，中トロ，大トロマグロ種による接着寿司種を示す斜視図
【符号の説明】
【００１７】
１はむき身の甘えび
２は酵素性食用接着剤
２ａは接着部
３，３ａは接着寿司種
４は米飯のにぎり
５はにぎり寿司
６ａ，６ｂ，６ｃはマグロ種
【図１】
0003129623.tif 000003
【図２】
0003129623.tif 000004
【図３】
0003129623.tif 000005
【図４】
0003129623.tif 000006
(57)【要約】      （修正有）【課題】本発明の課題は、装着時に装身具の正位置を保つことができる装身具を提供することである。【解決手段】スーツの襟、シャツの襟等の衣類に挟み部を用いて挟み込み装着する装身具であり、装身具１０の本体１１に設けた開閉式挟み部１３と引っ掛け部とで構成している。【選択図】図１
0003129630.tif 000002
【実用新案登録請求の範囲】
【請求項１】
スーツ、シャツ、コート等の衣類の襟又はポケットに挟み部を用いて挟み込み装着する装身具において、前記装身具の本体に設けた前記挟み部と引っ掛け部による二点支持で前記装身具を装着する、
ことを特徴とする装身具。
【考案の詳細な説明】
【技術分野】
【０００１】
本考案は衣類の襟、ポケット等に装着する装身具に関する。
【背景技術】
【０００２】
スーツ、シャツ、コート等の衣類の襟又はポケットに装着する装身具としては、挟み型と針止型とが一般的に知られている。本発明は挟み型の装身具に関するものである。
【０００３】
従来の挟み型の装身具においては、クリップ型が広く知られている。このクリップ型においては、素材が主に金属であり、二つ折りされかつ弾力部材で支持された表部と裏部の間にネクタイ、衣類の襟又はポケットを挟み込むようになっている。
【０００４】
しかし、従来の挟み型の装身具においては、衣類に一点支持で装着されていた。従って、挟み込む弾力部材として、ある程度強い弾力の部材を用いないと外れやすい問題があった。また、このような装身具は一点支持のため、正位置に装着しても使用中に何かに触れたりして外的負荷がかかることで、傾いてしまうという問題があった。
【考案の開示】
【考案が解決しようとする課題】
【０００５】
そこで、本考案の課題は、装着時に装身具の正位置を保つことができる装身具を提供することである。
【課題を解決するための手段】
【０００６】
スーツ、シャツ、コート等の衣類の襟又はポケットに挟み部を用いて挟み込み装着する装身具において、上記装身具の本体に設けた上記挟み部と引っ掛け部による二点支持で上記装身具を装着する構成としている。
【考案の効果】
【０００７】
本考案によれば、スーツ、シャツ、コート等の衣類の襟又はポケットに装着した際に、はずれにくく、且つ使用者の動き等による外的負荷によって生じる傾きなどのズレが生じないように装身具の正位置を保つことができる。
【考案を実施するための最良の形態】
【０００８】
以下、本考案の実施の形態に係わる装身具について、図を参照しながら説明を行う。
【０００９】
図１は、本実施の形態の装身具１０を示した図である。図１において、装身具１０は本体１１と、本体１１に固着された引っ掛け部１２と、開閉式挟み部１３とから構成されている。装身具１０は、この引っ掛け部１２と開閉式挟み部１３とで二点支持によって衣類に装着される。
【００１０】
図１において、装身具１０の本体１１はファッションとして使用時に見せる部分であり、開口部１１Ａを設けた三角形状で形成されている。しかし、この形状は三角形状に限定されず、円形、楕円形、四角形等の形状においても適用可能である。本体１１の素材としては、加工可能であれば金属に限定されるものではなく、例えば、合成樹脂等も使用可能である。
【００１１】
本体１１に固着された引っ掛け部１２は、更に詳しく述べると図２に示すように、本体１１と一体に形成されている。また、引っ掛け部１２は本体１１と同様の素材が使用され、本体１１の上部側から下部側に向けて折り返されるように形成されている。この引っ掛け部１２の端部は本体１１側に折り曲げられている。尚、引っ掛け部１２の長さは限定されない。
【００１２】
次に図３を用いて開閉式挟み部１３の説明を行う。図３は図１において線III−IIIを示し
た断面図である。開閉式挟み部１３は、支持部１４とストッパ部１５とから構成されている。支持部１４は本体１１と回転自在に結合されている。開閉式挟み部１３の材質は本体１１と同様のものとすると良い。
【００１３】
支持部１４は、本体１１との接合部を回転軸１６として、観音開きに開閉する。衣服への装着時には、本体１１の上部側から下部側に向けて折り返された位置に移動させ、また、衣服から取り外す脱着時には回転軸１６を中心にストッパ部１５が移動する。
【００１４】
また、衣類への装着時は、ストッパ部１５の端部に備えられているシリコンと本体に設けられている針１７と衣類を挟み込んで装着される。これにより装着した位置がズレない。
【００１５】
次に、図４は衣類に装身具１０を装着した状態を示す。図４において、衣類１８はスーツを示しているが、スーツに限定されるものではなく、例えば、Ｙシャツ、ブラウス等であっても良い。
【００１６】
また、図４に示すように、スーツの襟１８Ａやポケット１８Ｂに装身具１０を装着することにより、衣類１６のファッション性を向上させることができる。また、スーツの襟１８Ａに装着した場合は、襟のたるみを防ぐ効果も有している。
【００１７】
上述した装身具１０は、本体１１に引っ掛け部１２と開閉式挟み部を設けて、衣類１６に二点支持によって装着させることにより、衣類に確実に固定されるので、外れにくく、且つ使用者の動き等による外的負荷によって生じる傾きなどのズレが生ずることなく常に正位置に保たれる。
【図面の簡単な説明】
【００１８】
【図１】本考案に係る装身具を示した正面図
【図２】図１において、線II−IIを示した断面図。
【図３】図１において、線III−IIIを示した断面図。
【図４】衣類に装身具の装着を示した図
【符号の説明】
【００１９】
１０      装身具
１１      本体
１１Ａ    開口部
１２      引っ掛け部
１３      開閉式挟み部
１４      支持部
１５      ストッパ部
１６      回転軸
１７      針
１８      衣類
１８Ａ    襟
１８Ｂ    ポケット
【図１】
0003129630.tif 000003
【図２】
0003129630.tif 000004
【図３】
0003129630.tif 000005
【図４】
0003129630.tif 000006